(57)【特許請求の範囲】
【請求項１】
表面で対象を加熱する「加熱手段」の裏面側に、「面ヒーター」を配置してなり、以下の条件を具備するように構成したことを特徴とする加熱装置。
(1) 前記「加熱手段」の裏面と前記「面ヒーター」との間に、電気的な絶縁を保って「温度センサー」を配置する。
(2) 前記「加熱手段」の裏面側を、縦方向及び横方向に区画するように分割して、分割した区画毎に、「押さえ板」を配置する。前記「押さえ板」は、剛性を有し、かつ熱変形の少ない材料から構成する。
(4) 前記各「押さえ板」の一面を、前記「面ヒーター」に密着させる。
(5) 前記「加熱手段」の裏面側に、前記各「押さえ板」の他面を前記面ヒーター側に押圧する「押圧手段」を取り付ける。
(6) 前記「加熱手段」の周囲に「剛性フレーム」を取り付け、該「剛性フレーム」内に前記各「押さえ板」を配置する。
(7) 前記「押圧手段」を、前記「剛性フレーム」内に「支持ビーム」を着脱自在に架設して、該「支持ビーム」に、前記「押さえ板」を前記加熱板側に押圧する「バネ」を取り付けて構成する。
【請求項２】
表面で対象を加熱する「加熱手段」の裏面側に、「面ヒーター」を配置してなり、以下の条件を具備するように構成したことを特徴とする加熱装置。
(1) 「第１電気絶縁シート」「面ヒーター」「第２電気絶縁シート」「温度センサー」「第３電気絶縁シート」の順に積層して一体化して、「ヒーター・センサーユニット」を構成する。
(2) 前記「加熱手段」の裏面側に、前記「ヒーター・センサーユニット」を密着配置し、前記「加熱手段」の裏面と前記「第３電気絶縁シート」とを密着当接する。
(3) 前記「加熱手段」の裏面側を、縦方向及び横方向に区画するように分割して、分割した区画毎に、「押さえ板」を配置する。前記「押さえ板」は、剛性を有し、かつ熱変形の少ない材料から構成する。
(4) 前記各「押さえ板」の一面を、前記「ヒーター・センサーユニット」の第１電気絶縁シート側に配置する。
(5) 前記「加熱手段」の裏面側に、前記各「押さえ板」の他面を前記面ヒーター側に押圧する「押圧手段」を取り付ける。
(6) 前記「加熱手段」の周囲に「剛性フレーム」を取り付け、該「剛性フレーム」内に前記各「押さえ板」を配置する。
(7) 前記「押圧手段」を、前記「剛性フレーム」内に「支持ビーム」を着脱自在に架設して、該「支持ビーム」に、前記「押さえ板」を前記加熱板側に押圧する「バネ」を取り付けて構成する。
【発明の詳細な説明】
【技術分野】
【０００１】
この発明は、面ヒーターの熱を効率よく加熱手段に伝えて、対象を加熱することができる加熱装置及びこの加熱装置に最適なヒーター・センサーユニットに関する。加熱装置は、主に、加熱対象を食材とした調理用グリルを想定しているが、加熱対象を金型成型品とした成形金型等に応用することも可能である。
【背景技術】
【０００２】
お好み焼きなどの外食のお店で使用されている鉄板焼き器（テーブル）では、従来はガス加熱が主流であったが、ガス燃焼の排ガスの換気にともなう空調ロス、ガスの排気熱にともなう空調負荷増大の問題がクロースアップされてきており、鉄板焼きは電気加熱方式に切り替わりつつある。電気加熱の方法としては電気ヒーターや、ＩＨ方式などがあるが、コスト面から電気ヒーターが選択される。また、電気ヒーターはシーズヒーター式が従来からあるが、速熱性、ヒーター耐久性の面で問題があり、面状発熱体を使用した加熱方式が提案されている。
【０００３】
この場合、被加熱物に対する発熱体の密着性が熱効率の面においても、ヒーターの耐久性面、絶縁材の耐久性面においても重要な項目となっている。
【０００４】
とりわけ、非加熱物である鉄板と電気ヒーターとの密着が確保されていれば、ヒーターの熱は鉄板に移動する。ところが、鉄板と電気ヒーターとの密着が悪いと熱の移動の関係から各部材に温度のムラが発生し、熱変形が生じる。ヒーターに、金属板を使用する場合は、熱膨張率が比較的大きいため、熱変形量は大きくなり、広い面積で密着を確保することは難しい場合が多い。
【０００５】
そこで、密着を確保するために、面状ヒーターの全面積の数分の１に分割された短冊状のヒーター押さえ板を加熱平板（鉄板）に固定して、面状ヒーターを加熱平板に押圧する加熱装置が提案されている（特許文献１）。この場合、ヒーター押さえ板は面状ヒーターの全面積の３分の１〜５分の１とし、またヒーター押さえ板は温度を均一化するためにステンレスとアルミのクラッド材などの強靱性材料と熱伝導率の大きい材料を用いている。
【特許文献１】特開平７−１８４７８８
【特許文献２】特開平８−６６３１８
【発明の開示】
【発明が解決しようとする課題】
【０００６】
前記従来の技術では、ヒーター押さえ板を面状ヒーターの全面積の３分の１〜５分の１としているので、各ヒーター押さえ板の長手方向の縁のみを折り曲げて、長手方向にのみ分割した構造であり、鉄板と面ヒーターの密着性能を充分に図ることができなかった。また。押さえ板を熱伝導率の高い材料を使用するので、ヒーターの熱を押さえ板が吸収して、鉄板への加熱が充分に行われない問題点があった。更に、金属製の押さえ板を使用するので、熱変形が大きいため密着性を確保できない問題点もあった。
【０００７】
また、従来の加熱板を用いた加熱装置では、温度センサーとして熱電対を使用しているので、加熱装置全体の厚さを薄くするためには、加熱板に穴を空けて熱電対を埋める必要があり、加熱板の加工が煩雑であり、温度センサーの交換も困難である問題点もあった。
【課題を解決するための手段】
【０００８】
然るにこの発明は、加熱手段の裏面と面ヒーターとのと間に、温度センサーを配置し、加熱手段の裏面を縦横に区画して、区画毎に、剛性を有し熱変形の少ない材料からなる押さえ板で押圧して、加熱装置を構成するので、前記問題点を解決した。
【０００９】
即ち、加熱装置の発明は、表面で対象を加熱する「加熱手段」の裏面側に、「面ヒーター」を配置してなり、以下の条件を具備するように構成したことを特徴とする加熱装置である。
(1) 前記「加熱手段」の裏面と前記「面ヒーター」との間に、電気的な絶縁を保って「温度センサー」を配置する。
(2) 前記「加熱手段」の裏面側を、縦方向及び横方向に区画するように分割して、分割した区画毎に、「押さえ板」を配置する。前記「押さえ板」は、剛性を有し、かつ熱変形の少ない材料から構成する。
(4) 前記各「押さえ板」の一面を、前記「面ヒーター」に密着させる。
(5) 前記「加熱手段」の裏面側に、前記各「押さえ板」の他面を前記面ヒーター側に押圧する「押圧手段」を取り付ける。
(6) 前記「加熱手段」の周囲に「剛性フレーム」を取り付け、該「剛性フレーム」内に前記各「押さえ板」を配置する。
(7) 前記「押圧手段」を、前記「剛性フレーム」内に「支持ビーム」を着脱自在に架設して、該「支持ビーム」に、前記「押さえ板」を前記加熱板側に押圧する「バネ」を取り付けて構成する。
【００１０】
また、他の加熱装置の発明は、表面で対象を加熱する「加熱手段」の裏面側に、「面ヒーター」を配置してなり、以下の条件を具備するように構成したことを特徴とする加熱装置である。
(1) 「第１電気絶縁シート」「面ヒーター」「第２電気絶縁シート」「温度センサー」「第３電気絶縁シート」の順に積層して一体化して、「ヒーター・センサーユニット」を構成する。
(2) 前記「加熱手段」の裏面側に、前記「ヒーター・センサーユニット」を密着配置し、前記「加熱手段」の裏面と前記「第３電気絶縁シート」とを密着当接する。
(3) 前記「加熱手段」の裏面側を、縦方向及び横方向に区画するように分割して、分割した区画毎に、「押さえ板」を配置する。前記「押さえ板」は、剛性を有し、かつ熱変形の少ない材料から構成する。
(4) 前記各「押さえ板」の一面を、前記「ヒーター・センサーユニット」の第１電気絶縁シート側に配置する。
(5) 前記「加熱手段」の裏面側に、前記各「押さえ板」の他面を前記面ヒーター側に押圧する「押圧手段」を取り付ける。
(6) 前記「加熱手段」の周囲に「剛性フレーム」を取り付け、該「剛性フレーム」内に前記各「押さえ板」を配置する。
(7) 前記「押圧手段」を、前記「剛性フレーム」内に「支持ビーム」を着脱自在に架設して、該「支持ビーム」に、前記「押さえ板」を前記加熱板側に押圧する「バネ」を取り付けて構成する。
【００１３】
前記における「剛性を有し、熱変形の少ない材質」とは、例えば、窯業タイルなどのセラミック材料等を指し、「熱変形が少ないとは、例えば、線膨張率３〜１１×１０―６／℃  程度の材料が好ましい。
【発明の効果】
【００１４】
この発明の加熱装置では、加熱手段の裏面と面ヒーターとの間に、電気的な絶縁を保って温度センサーを配置して、面ヒーター側を、縦横方向に区画するように分割した形状で熱変形の少ない材料からなる押さえ板を配置して押圧するので、面ヒーターの熱を有効に加熱手段に伝え、効率よく加熱できる効果がある。また、温度センサーも加熱手段の裏面に押圧されるので、加熱手段の裏面の温度を正確に測定して、加熱手段の温度制御が容易にできる。従って、加熱装置で加熱する対象を最適の温度で処理でき、調理用グリルでは有効な食材の調理や保温ができ、樹脂などの成形金型では、最適な温度で金型を加熱できる効果がある。
【００１５】
また、面ヒーターと温度センサーとを電気絶縁シートで挟んで積層して、ヒーター・センサーユニットを形成する場合には、取り扱いを容易として、加熱装置の製造や加熱手段の取り換えや面ヒーターや温度センサーの電気系統の保守等が簡易かつ容易にできる効果がある。とりわけ、加熱装置として調理用グリルに応用した場合には、故障した場合には、正常なヒーター・センサーユニットを交換して取り付けし、その間に故障したヒーター・センサーユニットを修理できるので、飲食業務に支障なく、加熱装置を使用できる効果がある。
【発明を実施するための最良の形態】
【００１６】
（１）  加熱板（加熱手段）１の裏面２ａ側から面ヒータ５で加熱して、加熱板１の表面２側で対象物を加熱できる。例えば、加熱対象物を食材とする場合には加熱板１は水平に配置する鉄板や石材などを指す。また、樹脂成型型枠では、加熱対象物は樹脂成型品であり、加熱板１はその型枠となる。
【００１７】
剛性フレーム２２の上面側２３に加熱板１を固定する。第１電気絶縁シート１１、面ヒーター５、第２電気絶縁シート１２、温度センサー１６、第３電気絶縁シート１９の順に積層して一体化して、ヒーター・センサーユニット２０を構成する。
【００１８】
加熱板１の裏面２ａ側に、ヒーター・センサーユニット２０を密着配置する。この際、加熱板１の裏面２ａに第３電気絶縁シート１９が密着当接する。従って、加熱板１の裏面２ａに温度センサー１６、面ヒーター５の順に位置する（図２）。
【００１９】
加熱板１の裏面２ａ側を、縦方向及び横方向に区画するように分割して、分割した区画の大きさの押さえ板２５を形成する。押さえ板２５は例えばセラミックス材料（剛性を有し、かつ熱変形の少ない材料）から構成する。
【００２０】
加熱板の裏面２ａ側（剛性フレーム２２の下面側２４）で、ヒーター・センサーユニット２０に、押さえ板２５の一面２６側を当てて、押さえ板２５、２５を敷き詰めるように配置する。従って、ヒーター・センサーユニット２０の第１電気絶縁シート１１に押さえ板２５の一面２６が当接する。
【００２１】
剛性フレーム２２の下面側２４に剛性ビーム２８を架設して、剛性ビーム２８と押さえ板２５の他面２６ａとの間にバネ２９を介装して、総ての押さえ板２５、２５をヒーター・センサーユニット２０側（加熱板１側）に押圧する。これにより温度センサー１６、面ヒーター５が共に電気的絶縁状態を確保した状態で、加熱板１の裏面１ａに密着できる。
【００２２】
予め温度設定して、温度センサーからの測定結果で、面ヒーター５の通電を制御できる温度制御部（マイコン）を設けて、加熱装置３０を構成する（図１）。
【００２３】
（２）  面ヒーター５は、金属箔（例えば、ステンレス）をリボン状に形成して、接触が無いように一筆書き状に、屈曲して折り返して、加熱板１の裏面２ａをできるだけ隙間無く加熱できるように配置する（図６）。
【００２４】
（３）  温度センサー１６としては、純ニッケル線が最適である。ニッケル線は、加熱板１の裏面２ａ側の全面をできるだけ均一に覆うように配置する。ニッケル線の抵抗変化率は純ニッケルでは０．００４〜０．００５／℃  程度あり、全長の温度の変化を両端の抵抗値の変化から温度を測定するもので、予めキャリブレーションして、温度制御部を調整する。また、比抵抗を測定するので、ニッケル線はできるだけ細くかつ長く配置することが望ましいので、接触しないように一筆書き状に折り返して、配置する（図６）。また、温度制御部では、ニッケル線の抵抗値を電圧に変換する回路をくみ、電圧値の変化として取り込み、ＰＩＤなどの温度制御をするようになっている。
【００２５】
また、面ヒーター５の温度を直接に測定しないように、できるだけ、面ヒーター５の間に配置して、平面上で面ヒーター５と重ねる場合には（電気的には第２電気絶縁シート１２があるので、面ヒーター５と温度センサー１６とは電気的には絶縁されている）、温度センサーが面ヒーター５と重なる長さをできるだけ短くなるように設定する。例えば、面ヒーター５の長さ方向と直交する方向で交叉するように配置する（図６）。
【００２６】
（３）  押さえ板２５の形状・大きさは、面ヒーター５の被加熱部材である加熱板１、押さえ板２５の初期平面度、熱変形にともなう曲面の大きさに対し、必要充分に小さい押さえ板２５とすることで、加熱板１の裏面２ａの追従性が良い。とりわけ加熱板１の裏面２ａが曲面の場合には有効である。曲面で無くても、加熱板１が加熱された場合に若干変形して全体に又は部分的に湾曲するので、平板状の加熱板１であっても同様である。
【００２７】
また、押さえ板２５は剛性が高く、平面度が高く、変形変位量が小さい、熱膨張率の小さい材料を押さえ板とすることで、加熱時の密着性を広い範囲で確保できる。
【００２８】
通常、加熱板１は、常温で２５℃程度、加熱時に２５０℃と変化するので、大きな熱変化も予想されるので、この熱変化に追随して、面ヒーター５と温度センサー１６とを加熱板１の裏面２ａに密着させることが必要である。
【００２９】
押さえ板２５の剛性を上げると熱変形にともなう力が大きくなる（剛性に比例）ので、押し付けのバネ２９はこの熱変形に打ち勝つ力を出せるものが必要になる。また、密着させるにはある程度の剛性も必要であり、剛性を高めると熱変形の力も大きくなり、より強いバネが必要となるので、調節する。
【００３０】
前記のように窯業タイルを使用した場合、(1) 被加熱部材の変形の曲面Ｒに対して必要にして充分に小さい押さえ板を使用することで曲面への追従性が大きく改善され、(2) 高い平面度で均一に押し、押さえ板２５は変形の少ない（熱膨張率の小さく剛性の高い部材）材料（タイル＝セラミックス）であり、大量生産され、平面度を重視しているタイルであるため平面度が高い。鉄板の曲面に対して充分に小さいサイズとすることで、このタイルの面内では高い密着性を確保できるが、これらタイルをそれぞれ別のバネで押さえる（板一枚に対し一箇所以上）ので、高い密着性を確保できる。
【００３１】
一般に、窯業タイルは特殊な形状のタイルは別として、一枚一枚は高い平面で製作されているので、最適である。
【００３２】
（４）  電気絶縁シート１１、１２、１９としては、電気絶縁を確保しつつ、熱を遮断しないように（面ヒーター５及び温度センサー１６を、加熱板１の裏面２ａにできるだけ熱的に密着させる）構成することが必要である。例えば、人造マイカ＝マイカ（天然雲母）片を固めてシート又はテープ状に形成したものが最適である。
【実施例１】
【００３３】
図面に基づき、この発明の実施例を説明する。この実施例は、加熱対象を食材とする調理用の加熱装置に関する。
【００３４】
［１］加熱板１
【００３５】
加熱板１は裏面２ａから加熱して、表面２に載せた食材を調理する鉄板で、例えば厚さ９ｍｍ程度で形成する。尚、加熱板１は、鉄製に限らず、ステンレスや銅などの他の金属や石製等で形成することもできる（図示していない）。
【００３６】
［２］ヒーター・センサーユニット２０の構成
【００３７】
（１）  面ヒーター５はステンレス箔（厚さ０．０５ｍｍ程度）を帯状で、平面上で屈曲した形状に配置する（図２）。この際、長さ方向の変形量を少なくするために、できるだけ直線距離が短くなるように屈曲して、かつ加熱板１の裏面２ａをできるだけ隙間が少なく覆うことができるように、一筆書き状に、平面上で屈曲して構成する。
【００３８】
電気絶縁シート１１、１２、１９として、マイカ片を積層してシート状に形成した人造マイカシートで構成する。第１第２電気絶縁シート１１、１２は、例えば厚さ０．３ｍｍ程度で、第３電気絶縁シート１９は、例えば厚さ０．１ｍｍ程度で構成する。
【００３９】
面ヒーター５の一面６を第１電気絶縁シート１１（面ヒーター５を押さえ板２５から保護する）、他面６ａを第２電気絶縁シート１２（温度センサー１６と電気絶縁する）とで挟んで、ヒーターユニット１４を構成する（図２）。ヒーターユニット１４は、使用する加熱板１の裏面２ａに納まり、裏面２ａの全体を覆うことができるような形状・大きさで形成する。
【００４０】
（２）  温度センサー１６として、ニッケル線センサーを使用する。ニッケル線センサーは、純ニッケルの０．１φ〜０．１４φ程度の円形断面の材料を使用する。この場合、ニッケル線センサーでは、金属の比抵抗値の関係から温度を測定するので、できるだけ断面積を小さくして、抵抗値の変化を測定しやすい状態で使用することが望ましい。また、製造または使用中の断線を加味すれば太い方が良く、上記の径を採用した。尚、温度抵抗変化を測定できれば、円形断面の線状に限らず、断面形状は任意であり、箔状（リボン状）とすることもできる。
【００４１】
（３）  ヒーターユニット１４の第２電気絶縁シート１２側に、温度センサー１６を配置する。温度センサー１６は、面ヒーター５との重なりができるだけ生じ無いように、温度センサー１６の隙間に配置することが望ましい。また、温度センサー１６は、面ヒーター５との重なりをできるだけ小さくするように、面ヒーター５を横断する際には、面ヒーター５の長さ方向に対して直角に横断するように配置することが望ましい。また、温度センサー１６は、加熱板１の温度を測定するものであるので、できるだけ加熱板１の裏面２ａの全面（第２電気絶縁シート１２の全面）に均一に配置され、かつできるだけ面ヒーター５と重ならないように配置する。
【００４２】
温度センサー１６の長さ方向に沿って、テープ状の第３電気絶縁シート１９を配置して、第３電気絶縁シート１９を第２電気絶縁シート１２に貼り付け固定する。
【００４３】
ヒーターユニット１４に温度センサー１６、第２電気絶縁シート１９を貼り付けて、即ち、第１電気絶縁シート１１、面ヒーター５、第２電気絶縁シート１２、温度センサー１６、第３電気絶縁シート１９の順に積層して一体化して、ヒーター・センサーユニット２０を構成する（図２）。
【００４４】
ヒーターユニット１４の面ヒーター５の端縁７、８にターミナルを取付け、また、温度センサー１６の端縁１７、１８にも夫々ターミナルを取り付け、各ターミナルからの情報を温度制御回路（図示していない）に送るようになっている。
【００４５】
［３］押さえ板２５
【００４６】
厚さ５ｍｍ程度、１００〜１５０ｍｍ角の正方形のセラミックス製品から押さえ板２５を構成する。例えば、窯業タイル材を使用する。押さえ板２５は、ヒーター・センサーユニット２０との密着性や、割れにくさを考えるとできるだけ小さく、かつできるだけ厚く形成することが望ましいが、コスト等と調節して上記の仕様とする。
【００４７】
［４］加熱装置３０
【００４８】
（１）  加熱板１の周囲３に、加熱板１と直交する帯状の剛性フレーム２２を固定し、剛性フレーム２２の上面側２３に、加熱板１を位置させる。
【００４９】
剛性フレーム１の下面側２４（加熱板１の裏面２ａ側）で、加熱板１の裏面２ａに、ヒーター・センサーユニット２０を密着配置する、この際、ヒーター・センサーユニット２０の第３電気絶縁シート１９（温度センサー１６）が加熱板１の裏面２ａに密着し、第１電気絶縁シート１１が露出する。
【００５０】
（２）  ヒーター・センサーユニット２０の第１電気絶縁シート１１面（加熱板１の裏面２ａ側）に、押さえ板２５、２５を敷き詰める。この場合、加熱板１の横方向（長手方向）に６個、縦方向（短手方向）に４個で合計２４個を使用する（図１（ａ）（ｂ））。押さえ板２５の一面２６が第１電気絶縁シートに密着する。
【００５１】
また、並べた押さえ板２５、２５の外周と剛性フレーム２２との間に、面ヒーター５の加熱に対して耐熱であって、多少の弾性を有する材料からなるスペーサー２７を配置する（図１（ｃ））。
【００５２】
（３）  また、押さえ板２５の他面２６ａと所定距離を空けて、剛性フレーム２２の長手方向の縁２２ａ、２２ａ間に（短手方向の縁２２ｂと平行に）、剛性ビーム２８、２８を架設固定する。この場合、縦方向に４つ並んだ押さえ板２５、２５は、重心の上方に剛性ビーム２２が位置しており、また、剛性ビーム２２は、剛性フレーム２２の下面側２４の内面に固定された取付金具３２にボルト・ナットで着脱自在に取り付ける（図１（ｃ）。
【００５３】
また、剛性ビーム２２の押さえ板２５側には４つのスプリングバネ２９、２９が固定されており、各スプリングバネ２９、２９が、各押さえ板２５、２５の重心を押して、押さえ板２５、２５をヒーター・センサーユニット２０側（加熱板１側）に押圧する。従って、加熱板１の裏面２ａに、温度センサー１６、面ヒーター５が押圧密着される（図１（ｃ））。
【００５４】
（４）  以上のようにして、加熱装置３０を構成する（図１）。実際に面ヒーター５の電源を入れて加熱板１を加熱した場合に、加熱板１の表面２の温度を測定し、温度センサー１６により測定される温度データが一致するように、温度制御回路を調節し、操作パネル（図示していない）の設定温度と加熱板１の実際の温度とを、略一致させる。
【００５５】
［５］他の実施例
【００５６】
（１）  前記実施例において、ヒーター・センサーユニット２０で、第３電気絶縁シート１９をテープ状に形成して、温度センサー１６に沿って配置したが、第１第２電気絶縁シート１１、１２と同様のシート状の形状とすることもできる（図３）。
【００５７】
また、前記実施例において、予めヒーターユニット１４を構成して、これに温度センサー１６と第３電気絶縁シート１９を取り付けたが、第１電気絶縁シート１１、面ヒーター５、第２電気絶縁シート１２、温度センサー１６、第３電気絶縁シート１９を順に積層して、（一旦ヒーターユニット１４を形成せずに）一度にヒーター・センサーユニット２０を形成することもできる（図３）。
【００５８】
また、前記実施例において、電気絶縁シート１１、１２、１９としてマイカを積層してシート状に形成した人造マイカから構成したが、電気絶縁性と耐摩耗性を有しかつ薄いシート状に形成できれば、他の材料を採用することもできる（図示していない）。
【００５９】
（２）  また、前記実施例において、温度センサー１６として純ニッケル線を使用して、その温度抵抗変化を測定したので、簡易的に、加熱板１の裏面２ａ全体の温度を測定できるので、望ましいが、他の温度センサーを使用することもできる（図示していない）。
【００６０】
（３）  また、前記実施例において、押さえ板２５の重心付近をスプリングバネ２９で押圧したが、剛性ビーム２２を押さえ板２５、２５の間に配置して、１つのスプリングバネで２つ又は４つの押さえ板２５、２５を押圧することもできる（図４（ａ））。また、スプリングバネ２９に代えて、板バネ３３を使用することもでき（図４（ｂ））、押さえ板２５を押圧できれば、圧縮空気等を使用した他の手段から押圧手段を構成することもできる（図示していない）。
【００６１】
（４）  また、前記実施例において、加熱板１の周囲を剛性フレーム２２に固定したが、剛性フレーム２２に加熱板１を着脱容易に取り付けることもできる（図示していない）。この場合には、調理後に、剛性フレーム２２から調理板１を取り外して、洗浄乾燥後に再度剛性フレームに取り付けることができる。
【００６２】
（５）  また、前記実施例において、加熱板１の裏面２ａを１枚で覆う大きさのヒーター・センサーユニット２０を使用したが、加熱板１の裏面２ａを複数に区画して、２枚または３枚以上のヒーター・センサーユニット２０、２０を並列して使用することもできる（図示していない）。この場合、１枚の加熱板１で、区画した部分毎に異なる温度に設定して使用することができる。従って、特に業務用の加熱装置３０の場合で、大きな面積の加熱板１の一部を高温として加熱調理に使用して、近接する加熱板１の他の部分を低温で保温するような使用方法をとることができ、有効である。
【００６３】
（６）  また、前記実施例において、押さえ板２５を正方形としたが、、長方形等他の形状とすることもできる。例えば、三角形（図５（ａ））、Ｈ字型（図５（ｂ））として、この場合にも、押さえ板２５、２５間の隙間をできるだけ少なく配置する。
【図面の簡単な説明】
【００６４】
【図１】この発明の加熱装置で、（ａ）は平面図、（ｂ）は底面図、（ｃ）はＡ−Ａ線における一部拡大断面図である。
【図２】この発明のヒーター・センサーユニットで（ａ）は組み立て図、（ｂ）は平面図である。
【図３】同じく他のヒーター・センサーユニットの組み立て図である。
【図４】（ａ）（ｂ）はこの発明の他の押圧手段の縦断面図である。
【図５】（ａ）（ｂ）はこの発明の他の押さえ板の平面図である。
【図６】面ヒーターと温度センサーの配置の例を示す底面図である。
【符号の説明】
【００６５】
１    加熱板（加熱手段）
２    加熱板の表面
２ａ  加熱板の裏面
３    加熱板の周囲
５    面ヒーター
６    面ヒーターの一面
６ａ  面ヒーターの他面
７    面ヒーターの一端
７ａ  面ヒーターの他端
１１    第１電気絶縁シート
１２    第２電気絶縁シート
１４    ヒーターユニット
１６    温度センサー
１７    温度センサーの一端
１８    温度センサーの他端
１９    第３電気絶縁シート
２０    ヒーター・センサーユニット
２２    剛性フレーム
２２ａ  剛性フレームの縁（長手方向）
２２ｂ  剛性フレームの縁（短手方向）
２３    剛性フレームの上面側（加熱板側）
２４    剛性フレームの下面側（押さえ板側）
２５    押さえ板
２６    押さえ板の一面
２６ａ  押さえ板の他面
２７    スペーサー
２８    剛性ビーム（押圧手段）
２９    スプリングバネ（押圧手段）
３０    加熱装置
３２    取付金具（押圧手段）
２２    板バネ（押圧手段）
【図１】
0005414022.tif 000002
【図２】
0005414022.tif 000003
【図３】
0005414022.tif 000004
【図４】
0005414022.tif 000005
【図５】
0005414022.tif 000006
【図６】
0005414022.tif 000007